(57)【特許請求の範囲】
【請求項１】
洗面器を置くための洗面器置き部の両側に、この洗面器置き部に連続して物品の載置部が形成されている浴室用カウンターであって、上記の洗面器置き部が前方に下り勾配に形成され、この洗面器置き部のカウンター上面にあらわれる輪郭部の外側に、洗面器置き部から連続して斜め上方に先広がりに傾斜する傾斜面部が形成され、上記の物品の載置部が傾斜面部となだらかに連ねられて洗面器置き部の側に下り勾配に形成されていることを特徴とする浴室用カウンター。
【請求項２】
請求項１記載の浴室用カウンターであって、傾斜面部が、洗面器置き部より急勾配に形成されていることを特徴とする浴室用カウンター。
【請求項３】
請求項１又は２記載の浴室用カウンターであって、載置部の前側の縁の勾配が、後側の縁の勾配より大きく形成されていることを特徴とする浴室用カウンター。
【請求項４】
請求項１乃至３の何れかに記載の浴室用カウンターであって、洗面器置き部と傾斜面部とが作る凹みスペースに捕集される排水を洗い場に流すための排水路が傾斜面部に形成されていることを特徴とする浴室用カウンター。
【請求項５】
請求項４記載の浴室用カウンターであって、排水路が、洗面器置き部に連なる緩やかな勾配の前段部と、この前段部に連ねて勾配が前段部より大きな状態の後段部とで形成されていることを特徴とする浴室用カウンター。
【発明の詳細な説明】
【技術分野】
【０００１】
本発明は、浴室用カウンターに関し、更に詳しくは入浴時に洗面器等を載置して使用する浴室用カウンターに関するものである。
【背景技術】
【０００２】
従来この種のカウンターとしては、本出願人の提案に係る、例えば特許文献１に記載されているものがある。
この従来品は、洗面器を置くための洗面器置き部を上方に先広がりの略逆円錐形に凹ませて内周面で洗面器を支持自在に形成し、洗面器置き部の底から排水路を、上面の外周部に向かって下り傾斜状に形成しているものである。
【０００３】
而して従来品は、上記の通り、洗面器置き部が上方に先広がりの略逆円錐形に形成されていたから、この洗面器置き部と、その両側のカウンター上面との接続箇所の勾配が大きな状態で、且つ上面に長く形成されるのを避けられなかった。
従って従来品によると、上面の排水性や意匠性が低下し、掃除がし難くなる、という改善すべき点があった。
【０００４】
また従来品の場合、洗面器置き部の底に集まる排水は所定位置から排水できるが、洗面器置き部の両側のカウンター上面については、この箇所の排水対策が特に施されていなかったから、従来品によると、洗面器置き部の両隣のカウンター上面に水垢等が付着し易く、その結果この箇所が汚れ易いものであった。
【先行技術文献】
【特許文献】
【０００５】
【特許文献１】特開２００８−１２６０２０号公報
【発明の概要】
【発明が解決しようとする課題】
【０００６】
本発明は、このような従来品の問題点に鑑み、提案されたものである。
従って本発明の解決しようとする技術的課題は、上面の排水性を良くし、掃除の容易化や意匠性の向上を図ることができ、また洗面器置き部の両隣のカウンター上面の水切りを可能にして一層排水性を高め、掃除を容易化できるよう形成した浴室用カウンターを提供することにある。
【課題を解決するための手段】
【０００７】
本発明は、上記の課題を解決するため、次のような技術的手段を採る。
即ち本発明は、図１等に示されるように、洗面器１を置くための洗面器置き部２の両側に、この洗面器置き部２に連続して物品３の載置部４が形成されている浴室用カウンターであって、上記の洗面器置き部２が前方に下り勾配に形成され、この洗面器置き部２のカウンター上面にあらわれる輪郭部５の外側に、洗面器置き部２から連続して斜め上方に先広がりに傾斜する傾斜面部６が形成され、上記の物品３の載置部４が傾斜面部６となだらかに連ねられて洗面器置き部２の側に下り勾配に形成されていることを特徴とする（請求項１）。
【０００８】
本発明の場合、洗面器置き部２は平坦に形成されているのが好ましいが、これに限定されるものではない。また洗面器置き部２の平面形状としては、例えば半円形、正方形、長方形等がある。
【０００９】
また本発明は、傾斜面部６が、洗面器置き部２より急勾配に形成されているのが好ましい（請求項２）。
なぜならこれによると、洗面器置き部２から流れ下る排水を傾斜面部６で受け止め易くなるからである。またこれによると、傾斜面部６と洗面器置き部２とが作る凹みスペースＳの深さを深くでき、排水が傾斜面部６を越えて洗い場８側に流れ落ち難くなるからである。
【００１０】
また本発明は、載置部４の前側の縁４ａの勾配が、後側の縁４ｂの勾配より大きく形成されているのが好ましい（請求項３）。
なぜならこれによると、洗面器置き部２の前方中央位置の傾斜面部６の高さを低くでき、傾斜面部６と洗面器置き部２の相反する勾配を違和感なく円滑に収束でき、その分、掃除も容易になるからである。
【００１１】
また本発明のカウンターは、洗面器置き部２と傾斜面部６とが作る凹みスペースＳに捕集される排水を洗い場８に流すための排水路９が傾斜面部６に形成されているのが好ましい（請求項４）。
なぜならこれによると、例えばカウンター上面に排水路９を孔状に形成する場合に比べ排水路９の形成が容易になり、また排水を円滑、迅速に洗い場８に流すことができるからである。
なお、本発明の場合、排水路９の形成位置は、経路を短くできることから、通常、洗面器置き部２の前側中央に前方に向けて直線状に形成されるのが好ましいが、これに限定されるものではない。また排水路９は、複数形成されているのでも良い。
【００１２】
またこの場合、本発明は、図６に示されるように、排水路９が、洗面器置き部２に連なる緩やかな勾配の前段部９ａと、この前段部９ａに連ねて勾配が前段部９ａより大きな状態の後段部９ｂとで形成されているのが良い（請求項５）。
なぜならこれによると、排水を後段部９ｂから早く流すことができ、排水性能を向上できるからである。またこの場合は、排水路９が斬新な印象を看者に与えることができ、意匠性も向上するからである。
【発明の効果】
【００１３】
本発明は、このように形成されているから、カウンター上面の湯水を、洗面器置き部、傾斜面部、及び物品の載置部の各勾配を利用して効率良く捕集し、排水できるものである。
また本発明品は、洗面器置き部とその両隣の物品の載置部との境界がなだらかに連ねられているため、掃除が容易で、意匠性も良くなるものである。
また本発明は、物品の載置部の湯水を洗面器置き部の側に導いて排水できるから、物品の載置部に水垢等が付着することを防止できる。
また本発明は、洗面器置き部と傾斜面部とで凹みスペースが作られるため、排水をこのスペースに滞溜でき、カウンター上面に拡散することを抑えることができる。
従ってこれによると、例えば湯水が洗面器から溢れても、物品の載置部までは至り難くなるから、シャンプー容器等が物品の載置部から排水で流されて落下することを防止できる。
【図面の簡単な説明】
【００１４】
【図１】本発明カウンターの好適な一実施形態を示す設置時の斜視図である。
【図２】同上カウンターの要部斜視図である。
【図３】図２のＩＩＩ−ＩＩＩ線における要部拡大断面図である。
【図４】Ａ、Ｂとも同上カウンターの作用を説明するための要部断面図である。
【図５】同上カウンターにおける排水の流れを説明するための設置時の斜視図である。
【図６】排水路の他の実施形態を示す要部断面図である。
【図７】Ａ、Ｂとも傾斜面部の他の実施形態を示す要部断面図である。
【発明を実施するための形態】
【００１５】
以下、本発明を実施するための好適な一実施形態を添付図面に従って説明する。
本発明のカウンターは、図１等に示されるように、洗面器１を置くための洗面器置き部２の両側に、この洗面器置き部２に連続して物品３の載置部４が形成されている。この実施形態の場合、物品３の載置部４は同じ長さに形成され、洗面器置き部２を中心に左右対称状に形成されている。
【００１６】
また上記の洗面器置き部２は、この実施形態では平面視で略半円形に形成され、前方に下り勾配に形成されている。またこの実施形態の場合、洗面器置き部２は平坦に形成されている。
【００１７】
而して本発明品は、洗面器置き部２のカウンター上面に、この実施形態では円弧状にあらわれる輪郭部５の外側に、洗面器置き部２から連続して斜め上方に先広がりに傾斜する傾斜面部６が形成されている。この傾斜面部６は、この実施形態では略放射面状に形成され、洗面器置き部２より急勾配に、且つ洗面器置き部２の側に行くほど緩やかに形成されている。
【００１８】
なお、洗面器置き部２の勾配は、排水を前方に流し、且つ洗面器１の滑り落ちを防止できる程度の角度に選定されている。本発明品は、洗面器置き部２と傾斜面部６とが上記のように形成されているため、洗面器置き部２で洗面器１を安定した姿勢で支持でき、しかも洗面器１が前方に移動しても傾斜面部６で洗い場８の側に落下することを防止できるものである。
【００１９】
また上記の物品３の載置部４は、傾斜面部６となだらかに連ねられて洗面器置き部２の側に下り勾配に形成されている。この場合、載置部４の前側の縁４ａ（図１参照）の勾配は、傾斜面部６と洗面器置き部２の相反する勾配を洗面器置き部２の中央に向かって違和感なく円滑に収束するため、後側の縁４ｂより大きく選定されている。
【００２０】
これにより本発明品は、洗面器置き部２の前側中央位置の傾斜面部６の高さＨ１（図４Ａ参照）を、前側の縁４ａと後側の縁４ｂとを同一勾配にした場合の高さＨ２（図４Ｂ参照）より低くできる。
従ってこれによると、傾斜面部６の前側が必要以上に高くなることを防止でき、使い勝手が良くなり、掃除もし易くなるものである。
【００２１】
また本発明品は、洗面器置き部２と傾斜面部６とが作る凹みスペースＳに捕集される排水７（図５参照）を洗い場８（図１参照）に流すための排水路９が、傾斜面部６に形成されている。この排水路９は、この実施形態では傾斜面部６の前側中央位置に、洗面器置き部２から連ねて洗面器置き部２と同じ勾配で前方に真っ直ぐ延びて溝状に形成されている。
従ってこれによると、排水を左右からバランス良く円滑に流すことができる。なお、排水路９の前端は、成形金型のばらつきで排水性能に差が生じないよう、大きく湾曲形成されている。
【００２２】
次に本発明品における排水の流れを説明する。
本発明品の場合、洗面器置き部２の箇所の排水は、図１に矢示されるように、前方に流れ、傾斜面部６では洗面器置き部２の側に向かって流れる。また物品３の載置部４の上面の水は、傾斜面部６を経て洗面器置き部２の側に流れる。
そして排水は、洗面器置き部２と傾斜面部６とが作る凹みスペースＳに捕集され、その後、排水路９を経て洗い場８に流れ落ちる。
【００２３】
以上の処において、本発明の場合、上記の排水路９は、図６に示されるように、洗面器置き部２に連なる緩やかな勾配の前段部９ａと、この前段部９ａに連ねて勾配が前段部９ａより大きな状態の後段部９ｂとで形成されているのでも良い。この実施形態の場合、前段部９ａは洗面器置き部２と同じ勾配に形成されているが、これに限定されるものではない。この本発明の場合は、排水路９の途中から排水の流れを速めることができるから、これによれば排水性を向上でき、また排水路９が看者に斬新な印象を与えるから、意匠性も良くなるものである。
【００２４】
また本発明の場合、上記の傾斜面部６は、勾配方向の全体にわたって傾斜平面状に形成されているのでも、或いは勾配方向の途中で勾配を違えて形成されているのでも良い。後者の場合は、図７Ａに示されるように、境界線１０を介して上側の傾斜面部６ａの勾配が、下側の傾斜面部６ｂの勾配より大きく形成されているのでも、或いは同図Ｂに示されるように、逆に形成されているのでも良い。
【００２５】
而して図７Ａに示される場合は、上側の傾斜面部６ａの勾配がきついため、その分、凹みスペースＳ（図１等参照）の深さを深くできる。従ってこれによると、排水が傾斜面部６を超えて洗い場８側に流れることを防止し易いものである。
また同図Ｂに示される場合は、カウンター上面の広がり感を得られ、上側の傾斜面部６ａの高さが低い分、例えば洗面器１を移動し易くなるものである。
【符号の説明】
【００２６】
１      洗面器
２      洗面器置き部
３      物品
４      物品の載置部
５      輪郭部
６      傾斜面部
【図１】
0005418043.tif 000002
【図２】
0005418043.tif 000003
【図３】
0005418043.tif 000004
【図４】
0005418043.tif 000005
【図５】
0005418043.tif 000006
【図６】
0005418043.tif 000007
【図７】
0005418043.tif 000008